(57)【要約】【課題】簡単に製造することができる吸収パッドを提供する。【解決手段】吸水材２を透水性シート１４と防水性シート１５とで挟み込んだ状態で、その周縁を封止して帯状のパッド本体３を製造する。続いて、そのパッド本体３の両側の側部２３を透水性シート１４側（同図に示す矢印Ｘ方向）に折り返して折返部１９を形成する。パッド本体３の底部と両側の折返部１９のうちの所定範囲とに両面シール２０を接着する。シール接着後、互いの透水性シート１４が向き合う状態でシート部４をパッド本体３に対して位置決め状態で貼り付ける。以上により、袋内部に折返部１９が位置して両側側部に収容凹部が形成された袋状の採尿袋が製造される。【選択図】      図４
2004180933.tif 000002
【特許請求の範囲】
【請求項１】
吸収材と該吸収材を両側から覆う被覆シートとを有し、袋状に形成された吸収パッドにおいて、
前記吸収材を有するパッド本体に対し、当該パッド本体とは別体で吸収材を有しないシート部を重ね合わせ、その周縁全域又は一部を除く周縁を封止状態で接着することによって形成されていることを特徴とする吸収パッド。
【請求項２】
袋内部には前記パッド本体及びシート部のうち一方の端部を内側に折り返し、その折返部を他方の内面に接着することによって袋内面と前記折返部との間に収容凹部が形成されていることを特徴とする請求項１に記載の吸収パッド。
【請求項３】
袋内部には前記パッド本体及びシート部のうち少なくとも前記パッド本体の端部を内側に折返し、その折返部を前記シート部の内面に接着することによって袋内面と前記折返部との間に収容凹部が形成されていることを特徴とする請求項１に記載の吸収パッド。
【請求項４】
前記収容凹部は前記パッド本体とシート部とを接着により封止した周縁のうち側部にのみ形成されていることを特徴とする請求項１〜３のうちいずれか一項に記載の吸収パッド。
【発明の詳細な説明】
【０００１】
【発明の属する技術分野】
本発明は、尿、便、血液等やその他の液体を吸収するための吸収パッドに関するものである。
【０００２】
【従来の技術】
従来、おむつや下着等の内部に装着して体内から排出される尿や便等の排泄物を吸収する男性用の吸収パッドとして採尿袋があり、この種の採尿袋が特許文献１等に開示されている。採尿袋は袋内部側から順に透水性シート、吸液性コア、不透液性シートからなる多層構造を有し、袋本体の所定部位に挿通孔が形成されている。採尿袋は挿通孔から男性性器を袋内部に導入して人体に装着し、透水性シートを通じて排泄物を吸液性コアで吸収して防水性シートにより外部に漏れ出ないようにしている。
【０００３】
また、採尿袋は帯状の吸収パッドを２枚に折り畳んで、その周縁を封止することによって製造されるが、採尿袋の一種として吸収パッドの端部（側部）を袋内部側に折り返した状態で接着された図１０に示す採尿袋５１も考えられる。この採尿袋５１の両側の側部には、前面側のシート５２と背面側のシート５３とが内側に折り返された状態でシールされることによって袋内部５１ａに収容凹部５４が形成されている。収容凹部５４には排泄物が流れ込むことから、排泄物が接着層５５に至り難くなって排泄物の漏れ防止効果が高くなる。
【０００４】
この採尿袋５１の製造方法を図１１に従って説明する。まず、透水性シート５７と防水性シート５８とで吸水材５９を挟み込み図１１（ａ）に示す帯状の吸収パッド５６を製造し、透水性シート５７を外側に防水性シート５８を内側にした状態で中間点Ｚで２枚に折り畳む。続いて、折り畳んだ際の先端部分を開口したままにして、図１１（ｂ）に示すように両側の側部６０を接着テープや熱シール等により接着して接着層５５を形成して袋状にする。そして、図１１（ｃ）に示すように袋状の吸収パッド５６の表裏を逆にして、袋内部５１ａに収容凹部５４を有する採尿袋を製造している。
【０００５】
【特許文献１】
特開平１０−２３４７６４号公報（第２−４頁、第１図）
【０００６】
【発明が解決しようとする課題】
しかし、袋内部５１ａに収容凹部５４を有する採尿袋５１を製造するとき、製造工程で袋状の吸収パッド５６の表裏を逆にする作業行程があるが、この折り返し作業が非常に面倒である問題が生じていた。また、この採尿袋５１を生産ラインを用いて自動で製造することも考えられるが、この折り返し行程を生産ラインの一行程として加えることは非常に困難であり、生産ラインを用いて自動で製造することができない問題もあった。
【０００７】
また、この種の採尿袋５１には表裏を裏返して製造するもの以外に、予め透水性シート５７を内側にした状態で２枚に折り畳み、その折り畳み状態で両側の側部６０を接着して袋状にする方法もある。しかし、この方法においても帯状の吸収パッドを２枚に折り畳むという作業工程が非常に面倒であり、その製造工程を簡単化した要望もあった。また、この折り畳み工程を生産ラインに用いると生産ラインが複雑化するので、この点からも製造工程を簡単化したい要望がある。
【０００８】
本発明は前記各問題点に鑑みてなされたものであって、その目的は簡単に製造することができる吸収パッドを提供することにある。
【０００９】
【課題を解決するための手段】
上記問題点を解決するために、請求項１に記載の発明では、吸収材と該吸収材を両側から覆う被覆シートとを有し、袋状に形成された吸収パッドにおいて、前記吸収材を有するパッド本体に対し、当該パッド本体とは別体で吸収材を有しないシート部を重ね合わせ、その周縁全域又は一部を除く周縁を封止状態で接着することによって形成されていることを要旨とする。
【００１０】
この発明によれば、パッド本体とシート部とを別体とし、パッド本体とシート部とを重ね合わせた状態で袋状となるように周縁全域又は一部を除く周縁を封止状態で接着することによって袋状の吸収パッドが製造される。従って、簡単な製造方法で袋状の吸収パッドの製造が行える。
【００１１】
請求項２に記載の発明では、請求項１に記載の発明において、袋内部には前記パッド本体及びシート部のうち一方の端部を内側に折り返し、その折返部を他方の内面に接着することによって袋内面と前記折返部との間に収容凹部が形成されていることを要旨とする。
【００１２】
この発明によれば、請求項１に記載の発明の作用に加え、パッド本体及びシート部のうち一方の端部を内側に折り返した状態で、その周縁を封止して接着することによって袋内部に収容凹部を有した袋状の吸収パッドが製造される。ところで、袋内部に収容凹部のある吸収パッドは排泄物等が接着面に至り難くなって漏れ防止効果が高いが、この種の吸収パッドを簡単な製造方法で製造可能になる。また、この製造方法ではパッド本体とシート部の両方に折曲部を設ける場合と比較して折り返し作業が少なく済み、製造作業が楽になる。
【００１３】
請求項３に記載の発明では、請求項１に記載の発明において、袋内部には前記パッド本体及びシート部のうち少なくとも前記パッド本体の端部を内側に折返し、その折返部を前記シート部の内面に接着することによって袋内面と前記折返部との間に収容凹部が形成されていることを要旨とする。
【００１４】
この発明によれば、請求項１に記載の発明の作用に加え、パッド本体に吸収材が配置されていることから、人体等から排出された排出物はパッド本体に向かう経路をとり、パッド本体の端部に流れ込み易くなる。しかし、少なくともパッド本体に収容凹部を設けたので、排出物の接着面への到達を効果的に抑制可能になり、吸収材に一旦吸収された排出物が収容凹部によって端部から接着面に至り難くもなって、高い漏れ防止効果が確保される。
【００１５】
請求項４に記載の発明では、請求項１〜３のうちいずれか一項に記載の発明において、前記収容凹部は前記パッド本体とシート部とを接着により封止した周縁のうち側部にのみ形成されていることを要旨とする。
【００１６】
この発明によれば、請求項１〜３のうちいずれか一項に記載の発明の作用に加え、収容凹部はパッド本体とシート部とを接着により封止した周縁のうち側部にのみ形成されるので、収容凹部を設ける際に折返部を形成する折り返し作業が少なく済み、製造作業が楽になる。また、人体等から排出される排出物は装着状態の位置関係から吸収パッドの底部よりも側部に多く流れ込むが、ここでは側部に収容凹部を形成するので、より効果的に排出物を接着面に至り難くすることが可能になる。
【００１７】
【発明の実施の形態】
（第１実施形態）
以下、本発明を具体化した尿、便などの排泄物（体液等）を吸収する際に使用される採尿袋の第１実施形態を図１〜図５に従って説明する。
【００１８】
図１は、採尿袋１の模式斜視図である。吸収パッドとしての採尿袋１は吸収材としての吸水材２を有する略帯状のパッド本体３と、パッド本体３に対し別体である略帯状のシート部４とを備えている。採尿袋１はその底部（図１では左端部）５と、両側の側部６のうち底部５側から長手方向Ｎの中間点より所定量だけ頂部７側の部位までの範囲Ｒとを接着することによって袋状に形成されている。このため、採尿袋１は接着層に囲まれた部分が閉鎖状態となり、他の部分が非閉鎖状態となる。
【００１９】
シート部４は両側の側部に非接着領域を設けることで、パッド本体３に対して外側方向に折り曲げ可能な折曲部８が形成されている。また、パッド本体３はシート部４よりも若干長くなっており、折曲部８の非折り曲げ状態ではパッド本体３の頂部３ａがシート部４よりも所定量突出している。採尿袋１の頂部７側には折曲部８を外側方向に折り曲げることによって開口部９が形成されている。
【００２０】
折曲部８の略中央部には採尿袋１の外部と内部とを連通する略十字状のスリット部１０が形成され、スリット部１０によって切り込まれたシート部４を捲り上げることで折曲部８には取込口１１が形成される。採尿袋１は取込口１１から男性性器１２（図３参照）を導入し、その男性性器１２を袋内部１３に収容することで人体に装着される。この装着状態においてはシート部４が人体に接触し、パッド本体３が下着やおむつ側に位置する。折曲部８は採尿袋１の人体装着時に取込口１１と男性性器１２との位置決め性をよくしている。
【００２１】
図２は、図１に示す採尿袋１のＡ−Ａ線断面図である。採尿袋１は不織布よりなる被覆シートとしての透水性シート１４と、ポリエチレンフィルムよりなる被覆シートとしての防水性シート１５とを備え、吸水材２はパッド本体３の略全域に亘ってこれら両者の間に配置されている。吸水材２は吸水機能を有するパルプ１６を有し、このパルプ１６は両側から吸水紙１７，１７により挟み込まれている。パルプ１６の下部には粉末状の吸水ポリマー１８が散布され、この吸水ポリマー１８により吸水材２の吸収効果を高めている。
【００２２】
パッド本体３は袋内部１３側から透水性シート１４、吸水材２及び防水性シート１５の順に配置され、吸水材２はその周縁がシート１４，１５を接着することで封止されている。一方、シート部４は透水性シート１４と防水性シート１５とをホットメルト等で直接接着した２層構造であり、袋内部１３側から透水性シート及び防水性シート１５の順に配置されている。そして、装着者から排出される排泄物等がパッド本体３側の透水性シート１４を介して吸水材２に吸収され、吸収された排泄物を防水性シート１５によって外部に漏れ出さないようにしている。
【００２３】
図３は、図１に示す採尿袋１のＢ−Ｂ線断面図である。袋内部１３の両側の側部には透水性シート１４と防水性シート１５とを重ね合わせたパッド本体３の側部を袋内部１３側に折り返すことによって折返部１９，１９が形成されている。パッド本体３は各々の折返部１９が底部５から上端に至る途中までの範囲Ｒでシート部４の内面に両面シール２０によって接着され、その接着部分が接着面２１となっている。なお、採尿袋１の底部５ではパッド本体３を折り返さずにそのままシート部４に接着されている。
【００２４】
袋内部１３の両側の側部には、折返部１９を形成することによって袋内面３ｂと折返部１９との間に収容凹部２２が形成されている。この収容凹部２２は両面シール２０に沿って採尿袋１の側部に配置されている。採尿袋１に尿等の排泄物が排出されたとき、排泄物は図３に示す矢印のように各収容凹部２２，２２に流れ込む。このため、排泄物が接着面２１に排泄物が至り難くなり、この接着面２１から排泄物が漏れ出すような不具合が生じ難くなる。
【００２５】
また、シート部４を吸水材を有しない構造とし、そのシート部４にスリット部１０を形成している。よって、男性性器１２を導入した装着時に取込口１１は男性性器１２に合わせた最小範囲のみ開口することになり、取込口１１と男性性器１２との間に余分な隙間が生じ難くなって袋内部１３から排泄物が外部に漏れ難くなる。また、人体側に位置するシート部４が吸水材２を有しない２層構造であるので、採尿袋１の装着時には人体との密着性が高まり、このことも排泄物を外部に漏れ難くする効果がある。さらに、シート部４は吸水材がある場合に比べて薄手の分だけ装着性がよくなり、男性性器１２を取込口１１に挿入し易くなる。
【００２６】
次に、採尿袋１の製造方法について図４に従って説明する。
まず、生産ライン上で吸水材２を透水性シート１４と防水性シート１５とで挟み込んだ状態で、その周縁を封止して帯状のパッド本体３を製造する。続いて図４（ａ）に示すようにそのパッド本体３の両側の側部２３を透水性シート１４側（同図に示す矢印Ｘ方向）に折り返して折返部１９を形成する。一方、シート部４はロール状に巻かれた状態でセットされ、採尿袋製造時に所定量だけ送り出されてパッド本体３と同一長さで切断されるとともに、所定位置にスリット部１０が切り込まれて製造される。
【００２７】
そして、パッド本体３の底部５と両側の折返部１９のうちの範囲Ｒとに両面シール２０を接着する。続いてシール接着後、互いの透水性シート１４が向き合う状態でシート部４をパッド本体３に対して位置決め状態で貼り付ける。以上により、袋内部１３に折返部１９が位置して両側側部に収容凹部２２が形成された袋状の採尿袋１が製造される。このとき、パッド本体３とシート部４の側部６は袋内部１３の漏れ防止効果を高めるためにヒートシール（熱シール）によっても接着される。
【００２８】
本例では各々別体であるパッド本体３とシート部４とを用意し、パッド本体３の側部２３を折り返して折返部１９を形成した状態で、袋状となるようにパッド本体３とシート部４との周縁を接着して封止することによって採尿袋１が製造される。従って、袋内部１３に収容凹部２２を有する採尿袋１を製造する場合、例えば防水性シート１５を内側にして２枚に折り畳み、袋状に接着した吸収パッドの表裏を逆にして製造する製造方法と比較して、採尿袋１の製造工程が簡単になる。
【００２９】
また、上記した吸収パッドの表裏を逆にする折り返し行程は生産ラインに採用し難い。しかし、この折り返し方法を用いずに各々別体のパッド本体３とシート部４とを袋状となるように接着する方法を用いたので、折り返し行程を用いずに済み、生産ラインを用いたライン製造によって採尿袋１の製造が行える。このため、採尿袋１の製造をほぼ自動化することが可能となり、採尿袋１の生産効率も向上する。
【００３０】
この実施形態では、以下のような効果を得ることができる。
（１）パッド本体３とシート部４とを各々別体とし、パッド本体３の側部２３を折り返して折返部１９を形成し、袋状をなすようにその周縁で接着することによって採尿袋１が製造される。従って、従来技術で述べた袋状の吸収パッドを表裏逆にして製造する方法に比べ、袋内部１３に収容凹部２２を有する漏れ防止効果の高い採尿袋１を簡単な製造方法で製造することができる。
【００３１】
（２）この採尿袋１では折返部１９を形成するが、その折返部１９はパッド本体３側にのみ形成するので、折り返し作業が少なく済み、製造作業が楽になる。また、排泄物は吸水材２のあるパッド本体３側に流れ込むことから、パッド本体３の側部２３を折り返してパッド本体３側に折返部１９を設けると、その収容凹部２２に排泄物が流れ込み易くなり、漏れ防止効果が一層高くなる。
【００３２】
（３）この採尿袋１ではその底部５に収容凹部を設けず、側部６にのみ収容凹部２２を設けるので、折り返し作業が少なく済み、製造作業が楽になる。また、人体から排泄される排泄物は採尿袋１の装着状態の位置関係から底部５よりも側部６に多く流れ込むが、ここでは側部６に収容凹部２２が配置されるので、より効果的に排出物を接着面２１に至り難くすることができ、製造工程の簡素化と高い漏れ防止効果の両立が図れる。
【００３３】
（４）取込口１１に男性性器１２を差し込む場合には折曲部８を折り曲げることによって取込口１１の位置調節可能となるので、取込口１１と男性性器１２との位置合わせが簡単に行え、採尿袋１の装着性が高くなる。
【００３４】
（５）シート部４を吸水材を有しない構造とし、そのシート部４に男性性器１２を導入する取込口１１を設けたので、男性性器１２の導入時には取込口１１が最小の開口範囲で済み、取込口１１と男性性器１２との間に隙間が生じ難くなって漏れ防止効果が高くなる。また、シート部４が吸水材を有しない構造の場合、装着時において人体への密着性が高まり、このことも漏れ防止効果に寄与する。さらに、シート部４に吸水材がないとコンパクトになり、このように採尿袋１が薄手で済むと持ち易くなって取り付け易さも向上する。
【００３５】
（第２実施形態）
次に、第２実施形態を図５及び図６に従って説明する。本実施形態は第１実施形態に比べて取込口１１の構造が異なっており、同一部分に関しては同一符号を付して詳しい説明を省略し、異なる部分についてのみ説明する。
【００３６】
図５は、採尿袋１の模式斜視図である。シート部４は側部が長手方向Ｎの全領域に亘って接着されている。シート部４には長手方向Ｎの中間点よりも頂部７側に略菱形状の取込口１１が形成されている。取込口１１の各角部にはスリット３０が形成され、これらスリット３０は男性性器１２を袋内部１３に入れるときに取込口１１の開口面積を広げる機能を有する。また、これらスリット３０のうち頂部７側のスリット３０ａは端部まで切り込まれている。
【００３７】
シート部４の頂部４ａにはスリット３０ａを設けることで採尿袋１の幅方向Ｈに並んで位置する扉部３１，３２が形成されている。扉部３１，３２はこれらを外側に広げることによって取込口１１の開口面積を大きくする役目を担い、男性性器１２を取込口１１に導入して人体に装着するときの装着作業をし易くしている。また、扉部３１の内面には両面シール３３が取り付けられ、両面シール３３は剥離紙３４を剥がすことでシール面３３ａ（ともに図６参照）が露出する。
【００３８】
採尿袋１の人体装着時にはこれら扉部３１，３２をシート部４の外側に折り返すことによって取込口１１の開口面積を大きくし、その状態で男性性器１２を取込口１１から袋内部１３へ導入する。続いて両面シール３３の剥離紙３４を剥がし、両面シール３３を扉部３２の外面に接着することによって扉部３１，３２による開口部位を閉じて装着が完了する。従って、扉部３１，３２によって取込口１１の開口面積が大きくなるので、男性性器１２を袋内部１３に導入し易くなって装着性が高まる。また、両面シール３３によって扉部３１，３２による開口部位を閉じることが可能となり、取込口１１に余分な開口部位が生じなくなり、取込口１１の漏れ防止効果も確保される。
【００３９】
この実施形態によれば、第１実施形態に記載の（１）〜（３），（５）の効果が同様に得られるとともに、次の効果を得ることができる。
（６）取込口１１に男性性器１２を差し込む場合には、扉部３１，３２を外側に折り曲げて取込口１１の開口面積を広げるので、取込口１１と男性性器１２との位置合わせが簡単に行え、採尿袋１の装着性が高くなる。また、扉部３１，３２を設けて取込口１１の開口面積を広げるようにしても、両面シール３３によって扉部３１，３２同士を接着すれば扉部３１，３２による開口が閉じられるので、取込口１１と男性性器１２との間に隙間が生じ難くなって漏れ防止効果も確保される。
【００４０】
（７）通常の生産ラインではシート部４の両側の側部に両面シール２０を取り付ける場合、長手方向Ｎの全域に設ける方がラインとしては製造し易い。従って、本例ではシート部４の側部６において長手方向Ｎに沿った全領域に両面シール２０を設けて接着面２１としているので、採尿袋１の生産性がよくなる。
【００４１】
なお、この実施形態は、例えば次の態様に変更してもよい。
・  第１及び第２実施形態において、必ずしも折返部１９を設けることに限定されない。例えば図７に示すように、パッド本体３の側部２３を折り返さずに、そのままの状態でシート部４を両面シール２０により接着して折返部のない構成としてもよい。この場合、従来技術に述べた帯状の吸収パッドを２枚に折り畳む行程を用いずに済み、製造工程が簡単になる。
【００４２】
・  第１及び第２実施形態において、パッド本体３側のみを折り返して折返部１９を設ける構成に限定されない。例えば図８に示すように、パッド本体３の側部２３に折返部１９を設けるとともに、シート部４の両側の側部４０を内面側に折り返して折返部４１を設け、互いに対向する折返部１９，４１同士を接着して採尿袋１を製造してもよい。この場合、両面シール２０（接着面２１）を挟んだ両側に収容凹部２２が形成されるので、排泄物が接着面２１に一層至り難くなって、高い漏れ防止効果が得られる。
【００４３】
・  第１及び第２実施形態において、採尿袋１の側部６のみに収容凹部２２が形成される構成に限定されない。例えば図９に示すように、パッド本体３の側部２３に折返部１９を設けるとともに底部４２を折り返して折返部４３を形成し、その状態で折返部１９，４３の外面に両面シール２０を設けてシート部４を接着してもよい。この場合、採尿袋１の底部５の接着面２１にも排泄物が至り難くなって、高い漏れ防止効果が得られる。
【００４４】
・  第１及び第２実施形態において、パッド本体３とシート部４とのうち一方に折返部１９を設ける場合、パッド本体３側に代えてシート部４側に設けてもよい。
【００４５】
・  第１及び第２実施形態において、採尿袋１は袋内部１３を目視可能な開口部９を必ずしも有することに限定されず、パッド本体３とシート部４との周縁全域を接着することによって開口部がないものとしてもよい。
【００４６】
・  第１及び第２実施形態において、パッド本体３とシート部４との材質は異なる構成としてもよい。例えば、シート部４はパッド本体３と同じ材質の透水性シート１４と防水性シート１５とを用いる必要はなく、２層構造の場合に例えば内側が防水性シート１５で外側が肌触りのよいシートであってもよい。また、シート部４は２層構造に限らず、１層或いは３層以上の構成でもよく、例えば１層構造の場合には防水性が高く、かつ肌触り感の高い材質を用いてもよい。
【００４７】
・  第１及び第２実施形態において、採尿袋１の反人体側の表面に滑り止め機能を有する係止部を設けてもよい。即ち、パッド本体３の外面に摩擦抵抗の高い素材により形成された係止面を設けてもよい。この係止面は採尿袋１と別体のシートを貼着したり、パッド本体３に樹脂を含浸させて加工させる方法などが用いられる。この場合、装着状態の採尿袋１をおむつや下着等の内部でずれ難くすることができる。なお、係止面は面状に限らず、例えばストラップ状でもよい。
【００４８】
・  第１実施形態において、取込口１１はスリット部１０によって形成されるものに限らず、例えば略十字状のミシン目を設け、そのミシン目に沿って切込みを入れることによって取込口１１を形成してもよい。また、スリット部１０は略十字状に限らず、例えば一文字状や放射状でもよい。さらに、シート部４にスリット部やミシン目等を設けず、はさみ等を用いて自分でスリット部を形成する構成としてもよい。
【００４９】
・  第２実施形態において、取込口１１の開口形状は略菱形状に限らず、例えば円形状等の他の形状を用いてもよい。また、予め開口した取込口１１に代えて第１実施形態に記載のスリット部１０を設けて取込口１１を形成する構成でもよい。これとは逆に、第２実施形態に記載の予め開口された取込口１１を第１実施形態に用いてもよい。
【００５０】
・  第１及び第２実施形態において、被覆シートは内側が透水性シート１４、外側が防水性シート１５に限らず、両方とも透水性シート１４を用いてもよい。また、透水性シート１４や防水性シート１５の材質は各々の機能を満たすものであれば、その材質は特に限定されない。例えば防水性シート１５としてはポリエチレンフィルム、ポリエチレン、ポリプロピレン、ポリスチレン、ポリ塩化ビニル、ポリ酢酸ビニル、６，６−ナイロン、ポリエチレンテレフタラートなど、熱可塑性の素材からなるものが採用される。
【００５１】
・  第１及び第２実施形態において、パッド本体３とシート部４との接着方法は、両面シール２０に限らずホットメルト接着剤や熱シール等を用いた他の接着方法を用いてもよい。
【００５２】
・  第１及び第２実施形態において、本例の採尿袋１は排泄物等を吸収するためのものとして使用されることに限定されず、医療用などの他の用途に用いてもよいし、或いは液体収用の袋として使用してもよい。
【００５３】
前記実施形態及び別例から把握できる請求項以外の技術的思想について、以下にその効果とともに記載する。
（１）請求項１〜４のうちいずれか一項において、前記パッド本体とシート部との間に非接着領域を設けることによって内部を目視可能な開口部が形成されている。この場合、開口部から袋内部を目視可能となるので、吸収パッドを装着し易くなって吸収パッドの装着性が向上する。
【００５４】
（２）請求項１〜４及び前記技術的思想（１）のうちいずれか一項において、パッド本体とシート部とは別素材を用いている。
（３）請求項１及び前記技術的思想（１），（２）において、袋内部には前記パッド本体及びシート部の両方の端部を内側に折り返し、その対向する折返部同士を接着することによって袋内面と前記折返部との間に収容凹部が形成されている。この発明によれば、パッド本体及びシート部の両方の端部を内側に折り返した状態で、その対向する折返部同士を接着することによって袋内部に収容凹部を有した袋状の吸収パッドが製造される。ところで、袋内部に収容凹部のある吸収パッドは排泄物等が接着面に至り難くなって漏れ防止効果が高いが、この種の吸収パッドを簡単な製造方法で製造可能になる。また、この製造方法では収容凹部が接着面を挟む両側に形成されるので、漏れ防止効果の一層高い吸収パッドを簡単な製造方法で製造可能になる。
【００５５】
（４）請求項２〜４及び前記技術的思想（１）〜（３）のうちいずれか一項において、前記収容凹部は前記パッド本体とシート部とを接着により封止した周縁全域に形成されている。この場合、非常に高い漏れ防止効果が得られる。
【００５６】
（５）請求項１〜４及び前記技術的思想（１）〜（４）のうちいずれかにおいて、前記シート部には前記パッド本体とシート部との両側の側部の接着領域を、該側部の途中までとすることによって自在に折り曲げ可能な折曲部（８）が形成され、前記折曲部には袋内部と外部とを連通する連通部（１０，１１）が形成されている。この発明によれば、連通部に所定物を差し込む場合には折曲部を折り曲げることによって連通部の位置調節可能となるので、所定物と連通部との位置合わせが簡単に行え、吸収パッドの装着性が高くなる。
【００５７】
（６）請求項１〜４及び前記技術的思想（１）〜（４）のうちいずれかにおいて、前記パッド本体とシート部とは両側の側部が側部全域に亘って接着され、前記シート部には袋内部及び外部を連通する連通部（１０，１１）と、前記連通部から前記シート部の端部まで延びるスリット（３０ａ）により生じて前記連通部の開口面積を広げる扉部（３１，３２）とが形成され、前記スリットを挟む両側の前記扉部のうち一方の内面には接着手段（３３）が形成されている。この発明によれば、連通部に所定物を差し込む場合には扉部を外側に折り曲げて連通部の開口面積を広げるので、所定物と連通部との位置合わせが簡単に行え、吸収パッドの装着性が高くなる。また、扉部を設けて連通部の開口面積を広げるようにしても、接着手段によって扉部同士を接着すれば扉部による開口が閉じられるので、連通部における漏れ防止効果も確保される。
【００５８】
（７）吸収材と該吸収材を両側から覆う被覆シートとを有し、略袋状に形成された吸収パッドの製造方法において、前記吸収材を有するパッド本体に対し、当該パッド本体とは別体で吸収材を有しないシート部を重ね合わせ、その周縁全域又は一部を除く周縁を封止状態で接着することによって形成する。
【００５９】
【発明の効果】
以上詳述したように本発明によれば、パッド本体に対しそのパッド本体と別体のシート部を重ね合わせて、その周縁全域又は一部を除く周縁を封止状態で接着することによって形成されるので、袋状の吸収パッドを簡単に製造することができる。
【図面の簡単な説明】
【図１】第１実施形態における採尿袋の模式斜視図。
【図２】図１のＡ−Ａ線断面図。
【図３】図１のＢ−Ｂ線断面図。
【図４】採尿袋を製造するときの手順を示す説明図で、（ａ）がパッド本体の模式斜視図、（ｂ）がパッド本体とシート部とを接着するときの斜視図。
【図５】第２実施形態における採尿袋の模式斜視図。
【図６】採尿袋の部分拡大図。
【図７】別例における採尿袋の模式的分解斜視図。
【図８】他の別例に示す採尿袋の模式的分解斜視図。
【図９】他の別例に示す採尿袋の模式的分解斜視図。
【図１０】従来における採尿袋の内部を示す模式断面図。
【図１１】（ａ）〜（ｃ）は採尿袋を製造するとき手順を示す説明図。
【符号の説明】
１…吸収パッドとしての採尿袋、２…吸収材としての吸水材、３…パッド本体、３ｂ…袋内面、４…シート部、１３…袋内部、１４…被覆シートを構成する透水性シート、１５…被覆シートを構成する防水性シート、１９，４１，４３…折返部、２２…収容凹部、２３，４０…側部。
【図１】
2004180933.tif 000003
【図２】
2004180933.tif 000004
【図３】
2004180933.tif 000005
【図４】
2004180933.tif 000006
【図５】
2004180933.tif 000007
【図６】
2004180933.tif 000008
【図７】
2004180933.tif 000009
【図８】
2004180933.tif 000010
【図９】
2004180933.tif 000011
【図１０】
2004180933.tif 000012
【図１１】
2004180933.tif 000013